(57)【要約】【課題】基地局によって実行されるアンテナポートを割り当てる方法及び対応する基地局を提供する。【解決手段】当該方法は、一つ又は複数のユーザ端末のうちのターゲットユーザ端末の第１のパラメーター情報及び一つ又は複数のユーザ端末の第１のパラメーター情報に基づいて、候補アンテナポートから一つのグループのアンテナポートを選択する工程と、選択した一つのグループのアンテナポートを介して前記ターゲットユーザ端末と通信する工程とを有する。当該基地局は、一つ又は複数のユーザ端末のうちのターゲットユーザ端末の第１のパラメーター情報及び一つ又は複数のユーザ端末の第１のパラメーター情報に基づいて、候補アンテナポートから一つのグループのアンテナポートを選択する選択部と、選択した一つのグループのアンテナポートを介して前記ターゲットユーザ端末と通信する伝送部とを有する。【選択図】図３
2019186923.tif 000002
【特許請求の範囲】
【請求項１】
基地局によって実行されるアンテナポートを割り当てる方法であって、
一つ又は複数のユーザ端末のうちのターゲットユーザ端末の第１のパラメーター情報及び前記一つ又は複数のユーザ端末の第１のパラメーター情報に基づいて、候補アンテナポートから一つのグループのアンテナポートを選択する工程と、
選択した一つのグループのアンテナポートを介して前記ターゲットユーザ端末と通信する工程と、
を有する、方法。
【請求項２】
前記ターゲットユーザ端末の第１のパラメーター情報は、前記ターゲットユーザ端末の数量情報を含み、前記一つ又は複数のユーザ端末の第１のパラメーター情報は、前記一つ又は複数のユーザ端末の合計数量情報を含む、請求項１に記載の方法。
【請求項３】
前記ターゲットユーザ端末の第１のパラメーター情報は、前記ターゲットユーザ端末の伝送レイヤ数情報を含み、前記一つ又は複数のユーザ端末の第１のパラメーター情報は、前記一つ又は複数のユーザ端末の合計伝送レイヤ数情報を含む、請求項１に記載の方法。
【請求項４】
前記一つ又は複数のユーザ端末に複数のユーザ端末を有する場合、前記一つ又は複数のユーザ端末のうちのターゲットユーザ端末の第１のパラメーター情報及び前記一つ又は複数のユーザ端末の第１のパラメーター情報に基づいて、候補アンテナポートから一つのグループのアンテナポートを選択する工程は、
前記複数のユーザ端末のうちの第１のユーザ端末の第１のパラメーター情報及び前記複数のユーザ端末の第１のパラメーター情報に基づいて、前記候補アンテナポートから前記第１のユーザ端末のための第１のグループのアンテナポートを選択する工程と、
更新された候補アンテナポートを取得するように、前記第１のグループのアンテナポートに基づいて、前記候補アンテナポートを更新し、更新された複数のユーザ端末の第１のパラメーター情報を取得するように、前記第１のユーザ端末に基づいて、前記複数のユーザ端末の第１のパラメーター情報を更新する工程と、
前記複数のユーザ端末のうちの第２のユーザ端末の第１のパラメーター情報及び前記更新された複数のユーザ端末の第１のパラメーター情報に基づいて、前記更新された候補アンテナポートから前記第２のユーザ端末のための第２のグループのアンテナポートを選択する工程と、
を有する、請求項１から３のいずれか１項に記載の方法。
【請求項５】
前記一つのグループのアンテナポートは、特定の数のアンテナポートを含み、前記特定の数は、特定のセットにおける要素に基づいて特定される、請求項１から３のいずれか１項に記載の方法。
【請求項６】
前記一つ又は複数のユーザ端末のうちのターゲットユーザ端末の第１のパラメーター情報及び前記一つ又は複数のユーザ端末の第１のパラメーター情報に基づいて、候補アンテナポートから一つのグループのアンテナポートを選択する工程は、
一つ又は複数のユーザ端末のうちのターゲットユーザ端末の第１のパラメーター情報及び前記一つ又は複数のユーザ端末の第１のパラメーター情報に基づいて、第１の数値を特定する工程と、
前記特定のセットに基づいて、前記第１の数値以下である前記特定の数を特定する工程と、
を有する、請求項５に記載の方法。
【請求項７】
前記候補アンテナポート及び前記一つのグループのアンテナポートに基づいて、前記ターゲットユーザ端末に用いられるプリコーディングマトリックスを生成する工程をさらに有する、請求項１に記載の方法。
【請求項８】
前記ターゲットユーザ端末の伝送パラメーターを調整するように、前記候補アンテナポート及び前記一つのグループのアンテナポートに基づいて、前記ターゲットユーザ端末の信号パラメーターを特定する工程をさらに有する、請求項１に記載の方法。
【請求項９】
基地局によって実行されるアンテナポートを割り当てる方法であって、
複数のユーザ端末の第２のパラメーター情報に基づいて、候補アンテナポートから前記複数のユーザ端末のうちの第１のユーザ端末に使用される第１のグループのアンテナポートと前記複数のユーザ端末のうちの第２のユーザ端末に使用される第２のグループのアンテナポートを選択する工程と、
選択した第１のグループのアンテナポートと第２のグループのアンテナポートを介して、前記第１のユーザ端末と前記第２のユーザ端末とそれぞれ通信する工程と、を有し、
前記第１のユーザ端末のチャネル品質が前記第２のユーザ端末のチャネル品質より優れている場合、前記第１のグループのアンテナポートにおけるアンテナポートの数は前記第２のグループのアンテナポートにおけるアンテナポートの数より少ない、方法。
【請求項１０】
アンテナポートを割り当てる基地局であって、
一つ又は複数のユーザ端末のうちのターゲットユーザ端末の第１のパラメーター情報及び前記一つ又は複数のユーザ端末の第１のパラメーター情報に基づいて、候補アンテナポートから一つのグループのアンテナポートを選択するように構成される選択部と、
選択した一つのグループのアンテナポートを介して、前記ターゲットユーザ端末と通信するように構成される伝送部と、
を有する基地局。
【請求項１１】
前記ターゲットユーザ端末の第１のパラメーター情報は、前記ターゲットユーザ端末の数量情報を含み、前記一つ又は複数のユーザ端末の第１のパラメーター情報は、前記一つ又は複数のユーザ端末の合計数量情報を含む、請求項１０に記載の基地局。
【請求項１２】
前記ターゲットユーザ端末の第１のパラメーター情報は、前記ターゲットユーザ端末の伝送レイヤ数情報を含み、前記一つ又は複数のユーザ端末の第１のパラメーター情報は、前記一つ又は複数のユーザ端末の合計伝送レイヤ数情報を含む、請求項１０に記載の基地局。
【請求項１３】
前記選択部は、
前記複数のユーザ端末のうちの第１のユーザ端末の第１のパラメーター情報及び前記複数のユーザ端末の第１のパラメーター情報に基づいて、前記候補アンテナポートから前記第１のユーザ端末のための第１のグループのアンテナポートを選択し、
更新された候補アンテナポートを取得するように、前記第１のグループのアンテナポートに基づいて、前記候補アンテナポートを更新し、更新された複数のユーザ端末の第１のパラメーター情報を取得するように、前記第１のユーザ端末に基づいて、前記複数のユーザ端末の第１のパラメーター情報を更新し、
前記複数のユーザ端末のうちの第２のユーザ端末の第１のパラメーター情報及び前記更新された複数のユーザ端末の第１のパラメーター情報に基づいて、前記更新された候補アンテナポートから前記第２のユーザ端末のための第２のグループのアンテナポートを選択するように構成される、請求項１０から１２のいずれか１項に記載の基地局。
【請求項１４】
前記一つのグループのアンテナポートは、特定の数のアンテナポートを含み、前記特定の数は、特定のセットにおける要素に基づいて特定される、請求項１０から１２のいずれか１項に記載の基地局。
【請求項１５】
前記選択部は、
一つ又は複数のユーザ端末のうちのターゲットユーザ端末の第１のパラメーター情報及び前記一つ又は複数のユーザ端末の第１のパラメーター情報に基づいて、第１の数値を特定し、
前記特定のセットに基づいて、前記第１の数値以下である前記特定の数を特定するように構成される、請求項１４に記載の基地局。
【請求項１６】
前記候補アンテナポート及び前記一つのグループのアンテナポートに基づいて、前記ターゲットユーザ端末に用いられるプリコーディングマトリックスを生成するように構成される生成部をさらに有する、請求項１０に記載の基地局。
【請求項１７】
前記ターゲットユーザ端末の伝送パラメーターを調整するように、前記候補アンテナポート及び前記一つのグループのアンテナポートに基づいて、前記ターゲットユーザ端末の信号パラメーターを特定するように構成される特定部をさらに有する、請求項１０に記載の基地局。
【請求項１８】
アンテナポートを割り当てる基地局であって、
複数のユーザ端末の第２のパラメーター情報に基づいて、候補アンテナポートから前記複数のユーザ端末のうちの第１のユーザ端末に使用される第１のグループのアンテナポートと前記複数のユーザ端末のうちの第２のユーザ端末に使用される第２のグループのアンテナポートを選択するように構成される選択部と、
選択した第１のグループのアンテナポートと第２のグループのアンテナポートを介して、前記第１のユーザ端末と前記第２のユーザ端末とそれぞれ通信するように構成される伝送部とを有し、
前記第１のユーザ端末のチャネル品質が前記第２のユーザ端末のチャネル品質より優れている場合、前記第１のグループのアンテナポートにおけるアンテナポートの数は前記第２のグループのアンテナポートにおけるアンテナポートの数より少ない基地局。
【発明の詳細な説明】
【技術分野】
【０００１】
本開示は、移動通信分野に関し、具体的には、アンテナポートを割り当てる方法及び基地局に関する。
【背景技術】
【０００２】
通信システムのチャネル容量を増やすために、多入力多出力（ＭＩＭＯ：Multiple  Input  Multiple  Output）技術が提案されている。ＭＩＭＯ技術では、基地局とユーザ端末がそれぞれ複数の送信アンテナと受信アンテナを用いて、複数のデータストリームを並列に送信することによって、帯域幅を増加させることなく、通信システムの容量を増加させる。ＭＩＭＯは、基地局と同時に通信するユーザ端末の数によってシングルユーザ（ＳＵ：Single  User）ＭＩＭＯと、マルチユーザ（ＭＵ：Multiple  Users）ＭＩＭＯに分けられる。ＳＵ−ＭＩＭＯとは、基地局が一つのユーザ端末だけと並列に複数のデータストリームを送信することであり、ＭＵ−ＭＩＭＯとは、基地局が複数のユーザ端末と並列に複数のデータストリームを送信することである。
【発明の概要】
【発明が解決しようとする課題】
【０００３】
既存のＳＵ−ＭＩＭＯおよびＭＵ−ＭＩＭＯでは、データ伝送用のアンテナポートの数はユーザ端末ごとに固定されている。固定数のアンテナポートによって、並列伝送の効率が制限され、データ伝送のスループットを低下させる。
【課題を解決するための手段】
【０００４】
本開示の一つの実施例によると、基地局によって実行されるアンテナポートを割り当てる方法を提供する。当該方法は、一つ又は複数のユーザ端末のうちのターゲットユーザ端末の第１のパラメーター情報及び一つ又は複数のユーザ端末の第１のパラメーター情報に基づいて、候補アンテナポートから一つのグループのアンテナポートを選択する工程と、選択した一つのグループのアンテナポートを介して、前記ターゲットユーザ端末と通信する工程を有する。
【０００５】
本開示の他の実施例によると、アンテナポートを割り当てる基地局を提供する。当該基地局は、一つ又は複数のユーザ端末のうちのターゲットユーザ端末の第１のパラメーター情報及び一つ又は複数のユーザ端末の第１のパラメーター情報に基づいて、候補アンテナポートから一つのグループのアンテナポートを選択するように構成される選択部と、選択した一つのグループのアンテナポートを介して、前記ターゲットユーザ端末と通信するように構成される伝送部とを有する。
【０００６】
本開示の他の実施例によると、基地局によって実行されるアンテナポートを割り当てる方法を提供する。当該方法は、複数のユーザ端末の第２のパラメーター情報に基づいて、候補アンテナポートから複数のユーザ端末のうちの第１のユーザ端末に使用される第１のグループのアンテナポートと、複数のユーザ端末のうちの第２のユーザ端末に使用される第２のグループのアンテナポートを選択する工程と、選択した第１のグループのアンテナポートと第２のグループのアンテナポートを介して、前記第１のユーザ端末と前記第２のユーザ端末とそれぞれ通信する工程とを有し、第１のユーザ端末のチャネル品質が第２のユーザ端末のチャネル品質より優れている場合、第１のグループのアンテナポートにおけるアンテナポートの数は、第２のグループのアンテナポートにおけるアンテナポートの数より少ない。
【０００７】
本開示の他の実施例によると、アンテナポートを割り当てる基地局を提供する。当該基地局は、複数のユーザ端末の第２のパラメーター情報に基づいて、候補アンテナポートから複数のユーザ端末のうちの第１のユーザ端末に使用される第１のグループのアンテナポートと、複数のユーザ端末のうちの第２のユーザ端末に使用される第２のグループのアンテナポートを選択するように構成される選択部と、選択した第１のグループのアンテナポートと第２のグループのアンテナポートを介して、前記第１のユーザ端末と前記第２のユーザ端末とそれぞれ通信するように構成される伝送部とを有し、第１のユーザ端末のチャネル品質が第２のユーザ端末のチャネル品質より優れている場合、第１のグループのアンテナポートにおけるアンテナポートの数は、第２のグループのアンテナポートにおけるアンテナポートの数より少ない。
【図面の簡単な説明】
【０００８】
本開示の上記および他の目的、特徴、および利点は、図面を参照して本開示の実施例を具体的に説明することによって、さらに明らかになるだろう。図面は、本開示の実施例のさらなる理解を提供することを意図しており、明細書の一部を構成して、本開示の実施例とともに本開示を解釈することに用いられ、本開示を制限するものではない。図面において、同じ参照番号は一般に同じ部品またはステップを指す。
【図１】本開示の実施例を適用可能な、基地局の構成の模式図を示す。
【図２Ａ】既存の技術において、基地局によってユーザ端末に割り当てられたアンテナポートの模式図を示す。
【図２Ｂ】既存の技術において、基地局によってユーザ端末に割り当てられたアンテナポートの他の模式図を示す。
【図２Ｃ】既存の技術において、基地局によってユーザ端末に割り当てられたアンテナポートの他の模式図を示す。
【図２Ｄ】既存の技術において、基地局によってユーザ端末に割り当てられたアンテナポートの他の模式図を示す。
【図３】本開示の実施例に係る、基地局によって実行されるアンテナポートを割り当てる方法のフローチャートである。
【図４】本開示の実施例に係る、基地局が順次に各ユーザ端末にアンテナポートを割り当てる方法のフローチャートである。
【図５Ａ】本開示の実施例に係る、基地局によってユーザ端末に割り当てられたアンテナポートの模式図を示す。
【図５Ｂ】本開示の実施例に係る、基地局によってユーザ端末に割り当てられたアンテナポートの他の模式図を示す。
【図５Ｃ】本開示の実施例に係る、基地局によってユーザ端末に割り当てられたアンテナポートの他の模式図を示す。
【図５Ｄ】本開示の実施例に係る、基地局によってユーザ端末に割り当てられたアンテナポートの他の模式図を示す。
【図６】本開示の他の実施例に係る、基地局によって実行されるアンテナポートを割り当てる方法のフローチャートである。
【図７】本開示の実施例に係る、図３に示す方法を実行する基地局のブロック図である。
【図８】本開示の他の実施例に係る、図６に示す方法を実行する基地局のブロック図である。
【図９】本開示の実施例に係る、基地局のハードウェア構成の模式図である。
【発明を実施するための形態】
【０００９】
本開示の目的、技術案および利点をより明確にするために、以下、図面を参照しながら、本開示の例示的な実施例を具体的に説明する。
【００１０】
まず、図１を参照して、本開示の実施例を適用可能な基地局の構成の模式図を説明する。当該基地局は、ＬＴＥシステムにおける基地局であってもよく、例えばＬＴＥ−Ａシステムや５Ｇシステムにおける基地局などの、他のいかなる種類の無線通信システムにおける基地局であってもよい。以下には、ＬＴＥシステムにおける基地局を例として本開示の実施例を説明するが、以下の説明が他の種類の無線通信システムにおける基地局にも適用できることは理解すべきである。
【００１１】
基地局は、一つ又は複数の送受信部（ＴｘＲＵ：Transceiver  units）を含んでもよいし、当該一つ又は複数のＴｘＲＵを介して、一つ又は複数のユーザ端末と並列に複数のデータストリームを伝送する。例えば、図１に示すように、基地局は、ＳＵ／ＭＵ−ＭＩＭＯで基地局と通信するユーザ端末に並列に複数のデータストリームを伝送するように、ＴｘＲＵ  １１１、ＴｘＲＵ  １１２、ＴｘＲＵ  １１３、ＴｘＲＵ  １１４、ＴｘＲＵ  １１５、ＴｘＲＵ  １１６、ＴｘＲＵ  １１７及びＴｘＲＵ  １１８という八つのＴｘＲＵを含んでもよい。
【００１２】
また、基地局は、ユーザ端末と通信するＴｘＲＵに基づいて、対応するアンテナポートを特定してもよい。例えば、アンテナポートは、ユーザ端末に異なるトラフィックデータを送信するＴｘＲＵであってもよい。あるいは、アンテナポートは、ユーザ端末に、例えば、チャネル状態情報参照信号（ＣＳＩ−ＲＳ：Channel  State  Information  ＲＳ）、セル固有参照信号（ＣＲＳ：Cell−specific  ＲＳ）などの異なる参照信号（ＲＳ：Reference  Signal）を送信するＴｘＲＵであってもよい。基地局がユーザ端末と通信するＴｘＲＵの数は、基地局がユーザ端末に割り当てるアンテナポートの数と同じであってもよく、異なってもよいことを認識すべきである。
【００１３】
また、基地局は、ユーザ端末と通信するＴｘＲＵによってビームを形成し、ビームを介してユーザ端末にデータを伝送してもよい。例えば、図１に示すように、基地局は、ユーザ端末と通信するＴｘＲＵによってビーム１２０を形成し、ビーム１２０を介してユーザ端末にデータを伝送してもよい。
【００１４】
既存の技術において、ＳＵ−ＭＩＭＯで基地局と通信するＳＵ（単一のユーザ端末）及びＭＵ−ＭＩＭＯで基地局と通信するＭＵ（複数のユーザ端末）のうちの各ユーザ端末に対して、基地局によって割り当てられるアンテナポートの数は固定されている。図２Ａ−図２Ｄは、既存の技術において基地局によってユーザ端末に割り当てられたアンテナポートの模式図を示す。
【００１５】
例えば、図２Ａに示すように、基地局はＳＵに二つのアンテナポートを割り当て、アンテナポートに対応するＴｘＲＵがＴｘＲＵ  １１１−１１８である。それは、基地局がＴｘＲＵ  １１１とＴｘＲＵ  １１２を介してユーザ端末に異なるデータを送信し、ＴｘＲＵ  １１３、ＴｘＲＵ  １１５、ＴｘＲＵ  １１７が送信するデータは、ＴｘＲＵ  １１１と同じであり、ＴｘＲＵ  １１４、ＴｘＲＵ  １１６、ＴｘＲＵ  １１８が送信するデータは、ＴｘＲＵ  １１２と同じであるので、基地局から当該ユーザ端末に割り当てるアンテナポートが二つである。以下の例示も同じものであるので、ここでは省略する。
【００１６】
また、例えば、図２Ｂに示すように、ＭＵが二つのユーザ端末を含む場合にも、基地局は、ＭＵのうちのユーザ端末ごとに二つのアンテナポートを割り当て、ＭＵのうちの１番目のユーザ端末のアンテナポートに対応するＴｘＲＵはＴｘＲＵ  １１１−１１４であり、ＭＵのうちの２番目のユーザ端末のアンテナポートに対応するＴｘＲＵはＴｘＲＵ  １１５−１１８である。
【００１７】
また、例えば、図２Ｃに示すように、ＭＵが三つのユーザ端末を含む場合にも、基地局は、ＭＵのうちのユーザ端末ごとに二つのアンテナポートを割り当て、ＭＵのうちの１番目のユーザ端末のアンテナポートに対応するＴｘＲＵはＴｘＲＵ  １１１−１１４であり、ＭＵのうちの２番目のユーザ端末のアンテナポートに対応するＴｘＲＵはＴｘＲＵ  １１５−１１６であり、ＭＵのうちの３番目のユーザ端末のアンテナポートに対応するＴｘＲＵはＴｘＲＵ  １１７−１１８である。
【００１８】
また、例えば、図２Ｄに示すように、ＭＵが四つのユーザ端末を含む場合にも、基地局は、ＭＵのうちのユーザ端末ごとに二つのアンテナポートを割り当て、ＭＵのうちの１番目のユーザ端末のアンテナポートに対応するＴｘＲＵはＴｘＲＵ  １１１−１１２であり、ＭＵのうちの２番目のユーザ端末のアンテナポートに対応するＴｘＲＵはＴｘＲＵ  １１３−１１４であり、ＭＵのうちの３番目のユーザ端末のアンテナポートに対応するＴｘＲＵはＴｘＲＵ  １１５−１１６であり、ＭＵのうちの４番目のユーザ端末のアンテナポートに対応するＴｘＲＵはＴｘＲＵ  １１７−１１８である。
【００１９】
かかる場合には、基地局とＳＵ／ＭＵによるデータ伝送のスループットは比較的低い。それは、基地局と通信するユーザ端末が比較的少ないとき、基地局が依然として固定数のアンテナポートを割り当てるからである。実際には、基地局と通信するユーザ端末が比較的少ないとき、基地局は、割り当てるアンテナポートの数を固定することではなく、比較的多くのアンテナポートをユーザ端末に割り当てることで、並列伝送の効率及びプリコーディングの利得を上げ、さらにデータ伝送のスループットを向上させてもよい。
【００２０】
本開示において、基地局は、データ伝送とプリコーディングを行うように、ターゲットユーザ端末のパラメーター情報及びアンテナポートの割り当てを待機している全てのユーザ端末のパラメーター情報に基づいて、ターゲットユーザ端末に対して対応する一つのグループのアンテナポートを動的に割り当てることで、並列伝送の効率及びプリコーディングの利得を改善し、データ伝送のスループットを向上させることができる。ここで言及される「パラメーター情報」は、例えば、ユーザ端末の数量情報やデータ伝送パラメーター情報のような第１のパラメーター情報であってもよい。あるいは、ここで言及される「パラメーター情報」は、例えば、ユーザ端末のチャネル条件情報のような第２のパラメーター情報であってもよい。ここで言及される「パラメーター情報」が上述した第１のパラメーター情報と第２のパラメーター情報以外の、ターゲットユーザ端末にアンテナポートを割り当てるために利用できる他の情報であってもよいことを理解すべきである。
【００２１】
次に、図３を参照して、基地局がターゲットユーザ端末の第１のパラメーター情報及びアンテナポートの割り当てを待機している全てのユーザ端末の第１のパラメーター情報に基づいて、ターゲットユーザ端末に対して対応する一つのグループのアンテナポートを動的に割り当てる方法を説明する。図３は、本開示の実施例に係る基地局によって実行されるアンテナポートを割り当てる方法３００のフローチャートである。図３に示すように、ステップＳ３０１において、基地局は、一つ又は複数のユーザ端末のうちのターゲットユーザ端末の第１のパラメーター情報及び一つ又は複数のユーザ端末の第１のパラメーター情報に基づいて、候補アンテナポートから一つのグループのアンテナポートを選択する。
【００２２】
本開示の一つの例示によれば、ステップＳ３０１における一つ又は複数のユーザ端末は、アンテナポートの割り当てを待機している一つ又は複数のユーザ端末であってもよい。例えば、一つ又は複数のユーザ端末は、基地局によってスケジューリングされるＳＵ又はＭＵであってもよい。
【００２３】
本開示の他の例示によれば、ステップＳ３０１における候補アンテナポートは、基地局がユーザ端末に割り当て可能なアイドルのアンテナポートであってもよい。また、ステップＳ３０１における候補アンテナポートの数は、Ｎで表示されてもよい。ただし、Ｎ≧１且つ正の整数である。
【００２４】
本開示の他の例示によれば、ステップＳ３０１における第１のパラメーター情報は、数量情報であってもよい。第１のパラメーター情報が数量情報である場合には、ステップＳ３０１におけるターゲットユーザ端末の第１のパラメーター情報は、ターゲットユーザ端末の数量情報を含んでもよく、一つ又は複数のユーザ端末の第１のパラメーター情報は、一つ又は複数のユーザ端末の合計数量情報を含んでもよい。例えば、一つ又は複数のユーザ端末の合計数量は、Ｍで表示されてもよいし、Ｍ≧１且つ正の整数である。ターゲットユーザ端末は、一つ又は複数のユーザ端末のうちのｉ番目のユーザ端末であってもよいし、１≦ｉ≦Ｍ且つ正の整数である。ターゲットユーザ端末の数量情報は１であってもよいし、一つ又は複数のユーザ端末の合計数量情報は、Ｍであってもよいと理解することができる。
【００２５】
あるいは、ステップＳ３０１における第１のパラメーター情報は、例えば、伝送レイヤ数（the  number  of  transmission  layers）情報などのデータ伝送パラメーター情報であってもよい。伝送レイヤ数は、例えば、基地局とユーザ端末の間で並列に伝送されるデータストリームの数であってもよい。例えば、基地局は、ユーザ端末から報告するランクインジケータ（RI：Rank  Indication）に基づいて、ユーザ端末と並列に伝送するデータストリームの数を特定し、ユーザ端末と並列に伝送されるデータストリームの数に基づいて、ユーザ端末の伝送レイヤ数を特定することができる。
【００２６】
第１のパラメーター情報が伝送レイヤ数情報である場合に、ステップＳ３０１におけるターゲットユーザ端末の第１のパラメーター情報は、ターゲットユーザ端末の伝送レイヤ数情報を含んでもよいし、一つ又は複数のユーザ端末の第１のパラメーター情報は、一つ又は複数のユーザ端末の合計伝送レイヤ数情報を含んでもよい。例えば、ターゲットユーザ端末の伝送レイヤ数はＬｉであり、対応的に、一つ又は複数のユーザ端末の合計伝送レイヤ数はΣ１≦ｉ≦ＭＬｉである。
【００２７】
本開示の一つの例示によれば、一つ又は複数のユーザ端末が複数のユーザ端末（即ち、Ｍ＞１）を含む時、当該複数のユーザ端末のうちの第ｉのユーザ端末は、いずれもターゲットユーザ端末としてもよい。かかる場合には、基地局は、複数のユーザ端末のうちの各ユーザ端末を順次にターゲットユーザ端末とし、各ユーザ端末にそれぞれ対応する一つのグループのアンテナポートを割り当てることができる。本開示において、第ｉのユーザ端末に対応する一つのグループのアンテナポートに含まれるアンテナポートの数は、Ｎｉで表示されてもよい。
【００２８】
以下には、図４を参照して、本開示の実施例に係る基地局が、順次に各ユーザ端末にアンテナポートを割り当てる方法のフローチャートを説明する。図４は、本開示の実施例に係る基地局が、順次に各ユーザ端末にアンテナポートを割り当てる方法４００のフローチャートである。図４に示すように、ステップＳ４０１において、基地局は、複数のユーザ端末のうちの第１のユーザ端末の第１のパラメーター情報及び複数のユーザ端末の第１のパラメーター情報に基づいて、候補アンテナポートから第１のユーザ端末のための第１のグループのアンテナポートを選択する。
【００２９】
そして、ステップＳ４０２において、基地局は、更新された候補アンテナポートを取得するように、第１のグループのアンテナポートに基づいて候補アンテナポートを更新し、更新された複数のユーザ端末の第１のパラメーター情報を取得するように、第１のユーザ端末に基づいて、複数のユーザ端末の第１のパラメーター情報を更新してもよい。例えば、基地局は、更新された候補アンテナポートを取得するように、第１のグループのアンテナポートを候補アンテナポートから削除してもよい。また、例えば、基地局は、更新された複数のユーザ端末の第１のパラメーター情報を取得するように、第１のユーザ端末を複数のユーザ端末から削除してもよい。
【００３０】
そして、ステップＳ４０３において、基地局は、複数のユーザ端末のうちの第２のユーザ端末の第１のパラメーター情報及び更新された複数のユーザ端末の第１のパラメーター情報に基づいて、更新された候補アンテナポートから第２のユーザ端末のための第２のグループのアンテナポートを選択してもよい。例えば、基地局は、第２のユーザ端末の第１のパラメーター情報及び更新された複数のユーザ端末の第１のパラメーター情報に基づいて、更新された候補アンテナポートから第２のユーザ端末のための第２のグループのアンテナポートを選択してもよい。
【００３１】
そして、基地局は、第２のユーザ端末及び第２のグループのアンテナポートに基づいて、更新と選択の動作を再び実行することにより、第３のユーザ端末のために第３のグループのアンテナポートを選択してもよい。同様に、複数のユーザ端末のうちのユーザ端末ごとに対応する一つのグループのアンテナポートを選択するまで、上記動作を繰り返す。
【００３２】
図４には、基地局が順次に各ユーザ端末にアンテナポートを割り当てる方法を示しているが、本開示はこれに限らないことを認識すべきである。基地局は、複数のユーザ端末のうちの各ユーザ端末を順次にターゲットユーザ端末とし、各ユーザ端末にそれぞれ対応する一つのグループのアンテナポートを割り当てることにしなくてもよい。例えば、基地局は、ランダムに複数のユーザ端末のうちの、あるユーザ端末をターゲットユーザ端末とし、対応する一つのグループのアンテナポートをそれに割り当ててもよい。
【００３３】
以下には、第１のパラメーター情報が数量情報である場合を例として、図４に示す方法４００を説明する。ステップＳ４０１において、基地局は、第１のユーザ端末の数量情報（即ち、１）及び複数のユーザ端末の合計数量情報（即ち、Ｍ）に基づいて、候補アンテナポート（即ち、Ｎ個のアンテナポート）から第１のユーザ端末のための第１のグループのアンテナポート（即ち、Ｎ１個のアンテナポート）を選択してもよい。
【００３４】
そして、ステップＳ４０２において、基地局は、更新された候補アンテナポートを取得するように、第１のグループのアンテナポートに基づいて、候補アンテナポートを更新し、更新された複数のユーザ端末の合計数量情報を取得するように、第１のユーザ端末に基づいて、複数のユーザ端末の合計数量情報を更新してもよい。例えば、基地局は、更新された候補アンテナポート（即ち、（Ｎ−Ｎ１）個のアンテナポート）を取得するように、第１のグループのアンテナポートを候補アンテナポートから削除してもよい。また、基地局は、更新された複数のユーザ端末の合計数量情報（即ち、（Ｍ−１））を取得するように、第１のユーザ端末を複数のユーザ端末から削除してもよい。
【００３５】
そして、ステップＳ４０３において、基地局は、複数のユーザ端末のうちの第２のユーザ端末の数量情報及び更新された複数のユーザ端末の合計数量情報に基づいて、更新された候補アンテナポートから第２のユーザ端末のための第２のグループのアンテナポートを選択してもよい。例えば、基地局は、第２のユーザ端末の数量情報（即ち、１）及び更新された複数のユーザ端末の合計数量情報（即ち、（Ｍ−１））に基づいて、更新された候補アンテナポート（即ち、（Ｎ−Ｎ１）個のアンテナポート）から第２のユーザ端末のための第２のグループのアンテナポート（即ち、Ｎ２個のアンテナポート）を選択してもよい。
【００３６】
そして、基地局は、第２のユーザ端末及び第２のグループのアンテナポートに基づいて、更新と選択の動作を再び実行することにより、第３のユーザ端末のために第３のグループのアンテナポートを選択してもよい。同様に、複数のユーザ端末のうちのユーザ端末ごとに対応する一つのグループのアンテナポートを選択するまで、上記動作を繰り返す。
【００３７】
当該例示において、ターゲットユーザ端末のために基地局によって選択された一つのグループのアンテナポートには、特定の数のアンテナポートを含んでもよいし、当該特定の数は、特定のセットにおける要素に基づいて特定される。例えば、基地局は、ターゲットユーザ端末の数量情報及び一つ又は複数のユーザ端末の合計数量情報に基づいて、第１の数値を特定し、基地局は、特定のセットに基づいて特定の数を特定してもよい。ここで、当該特定の数は、第１の数値以下である。
【００３８】
例えば、基地局は、候補アンテナポートの数（即ち、Ｎ）、ターゲットユーザ端末の数量情報（即ち、１）及び一つ又は複数のユーザ端末の合計数量情報（即ち、Ｍ）に基づいて第１の数値を特定することができる。例えば、基地局は、候補アンテナポートの数（即ち、Ｎ）及びターゲットユーザ端末の数（即ち、１）と、複数のユーザ端末の合計数量（即ち、Ｍ）との比率に基づいて第１の数値を特定してもよい。基地局は、特定のセットから第１の数値以下の一つ又は複数の要素を選択してもよいし、基地局は、当該一つ又は複数の要素から最も大きい要素を選択し、最も大きい要素に基づいて特定の数を特定してもよい。例えば、基地局は、以下の式（１）によって、第１の数値及び特定の数を特定することができる。
【数１】
2019186923.tif 000003
ただし、Ｎｉは特定の数であり、Ｎｉ’は第１の数値であり、Ｓは特定のセットであり、Ｎは候補アンテナポートの数であり、１はターゲットユーザ端末の数量情報であり、Ｍは複数のユーザ端末の合計数量情報である。
【００３９】
また、基地局は、一度に一つのユーザ端末に対してのみ一つのグループのアンテナポートを特定するので、ターゲットユーザ端末の数量情報は１であることを理解すべきだろう。そのため、式（１）における「１」を省略してもよい。かかる場合には、上述した式（１）を以下の式（２）に改善することができる。
【数２】
2019186923.tif 000004
【００４０】
また、図４に示す方法４００と上述した式（１）又は（２）を参照すると、ターゲットユーザ端末が第１のユーザ端末である場合、式（１）又は式（２）における候補アンテナポートの数はＮであり、複数のユーザ端末の合計数量情報はＭであり、ターゲットユーザ端末が第２、第３、…第Ｍのユーザ端末である場合、式（１）又は式（２）における候補アンテナポートの数は、前回選択した後に残る候補アンテナポートの数であり、複数のユーザ端末の合計数量情報は、前回の選択の後に残るアンテナポートの割り当てを待機しているユーザ端末の数であることも理解できる。
【００４１】
ここで、候補アンテナポートの数Ｎ＝８、特定のセットＳが｛１，２，４，８，１２，１６，２４，３２｝であり、複数のユーザ端末の合計数量情報Ｍ＝３である場合を例として、第１の実現方式の第１の例示を説明する。第１のユーザ端末について、式（２）によれば以下のことが分かる。
【数３】
2019186923.tif 000005
よって、基地局は、第１のユーザ端末のために二つのアンテナポートを含む第１のグループのアンテナポートを選択する。
【００４２】
そして、基地局は、更新された候補アンテナポート（即ち、６つのアンテナポート）を取得するように、第１のグループのアンテナポートに基づいて、候補アンテナポートを更新し、更新された複数のユーザ端末の合計数量情報（即ち、２）を取得するように、第１のユーザ端末に基づいて、複数のユーザ端末の合計数量情報を更新する。第２のユーザ端末について、式（２）によれば以下のことが分かる。
【数４】
2019186923.tif 000006
よって、基地局は、第２のユーザ端末のために二つのアンテナポートを含む第２のグループのアンテナポートを選択する。
【００４３】
そして、基地局は、更新された候補アンテナポート（即ち、４つのアンテナポート）を取得するように、第２のグループのアンテナポートに基づいて、候補アンテナポートを更新し、更新された複数のユーザ端末の合計数量情報（即ち、１）を取得するように、第２のユーザ端末に基づいて、複数のユーザ端末の合計数量情報を更新する。第３のユーザ端末について、式（２）によれば以下のことが分かる。
【数５】
2019186923.tif 000007
よって、基地局は、第３のユーザ端末のために４つのアンテナポートを含む第３のグループのアンテナポートを選択する。したがって、候補アンテナポートの数Ｎ＝８、特定のセットＳが｛１，２，４，８，１２，１６，２４，３２｝であり、複数のユーザ端末の合計数量情報Ｍ＝３である場合、基地局は、第１、第２、第３のユーザ端末のために、それぞれ２つ、２つ、４つのアンテナポートを含む第１、第２、第３のグループのアンテナポートを選択した。
【００４４】
同様に、候補アンテナポートの数Ｎ＝８、特定のセットＳが｛１，２，４，８，１２，１６，２４，３２｝であり、複数のユーザ端末の合計数量情報Ｍ＝２である場合、基地局は、第１、第２のユーザ端末のために、それぞれ４つ、４つのアンテナポートを含む第１、第２のグループのアンテナポートを選択した。
【００４５】
同様に、候補アンテナポートの数Ｎ＝８、特定のセットＳが｛１，２，４，８，１２，１６，２４，３２｝であり、複数のユーザ端末の合計数量情報Ｍ＝４である場合、基地局は、第１、第２、第３、第４のユーザ端末のために、それぞれ２つ、２つ、２つ、２つのアンテナポートを含む第１、第２、第３、第４のグループのアンテナポートを選択した。
【００４６】
上述した例示では、一つ又は複数のユーザ端末が複数のユーザ端末（即ち、Ｍ＞１）を含む場合、基地局がどのように複数のユーザ端末のために、それぞれ対応する一つのグループのアンテナポートを選択するかについて説明した。本開示の他の例示によると、一つ又は複数のユーザ端末が一つのユーザ端末（即ち、Ｍ＝１）を含む場合、当該一つのユーザ端末がターゲットユーザ端末である。基地局は、上述した図４に示す方法４００及び上述した式（１）又は（２）を利用して当該一つのユーザ端末のために一つのグループのアンテナポートを選択してもよい。かかる場合には、基地局が一つのユーザ端末だけに対して一つのグループのアンテナポートを選択すればよいので、基地局は、候補アンテナポートの更新し、アンテナポートの割り当てを待機しているユーザ端末の更新という動作を実行する必要がなくなる。
【００４７】
上述した図４に示す方法４００及び上述した式（１）又は（２）によれば、候補アンテナポートの数Ｎ＝８、特定のセットＳが｛１，２，４，８，１２，１６，２４，３２｝であり、複数のユーザ端末の合計数量情報Ｍ＝１である場合、基地局は当該一つのユーザ端末のために８つのアンテナポートを含む一つのグループのアンテナポートを選択した。
【００４８】
次に、第１のパラメーター情報が伝送レイヤ数情報である場合を例として、図４に示す方法４００を説明する。ステップＳ４０１において、基地局は、第１のユーザ端末の伝送レイヤ数情報（即ち、Ｌ１）及び複数のユーザ端末の合計伝送レイヤ数情報（即ち、Σ１≦ｉ≦ＭＬｉ）に基づいて、候補アンテナポート（即ち、Ｎ個のアンテナポート）から第１のユーザ端末のための第１のグループのアンテナポート（即ち、Ｎ１個のアンテナポート）を選択してもよい。
【００４９】
そして、ステップＳ４０２において、基地局は、更新された候補アンテナポートを取得するように、第１のグループのアンテナポートに基づいて候補アンテナポートを更新し、更新された複数のユーザ端末の合計伝送レイヤ数情報を取得するように、第１のユーザ端末に基づいて複数のユーザ端末の合計伝送レイヤ数情報を更新する。例えば、基地局は、更新された候補アンテナポート（即ち、（Ｎ−Ｎ１）個のアンテナポート）を取得するように、第１のグループのアンテナポートを候補アンテナポートから削除してもよい。また、基地局は、更新された複数のユーザ端末の総伝送レイヤ数情報（即ち、Σ２≦ｉ≦ＭＬｉ）を取得するように、第１のユーザ端末を複数のユーザ端末から削除してもよい。
【００５０】
そして、ステップＳ４０３において、基地局は、複数のユーザ端末のうちの第２のユーザ端末の伝送レイヤ数情報及び更新された複数のユーザ端末の合計伝送レイヤ数情報に基づいて、更新された候補アンテナポートから第２のユーザ端末のための第２のグループのアンテナポートを選択してもよい。例えば、基地局は、第２のユーザ端末の伝送レイヤ数情報（即ち、Ｌ２）及び更新された複数のユーザ端末の合計伝送レイヤ数情報（即ち、Σ２≦ｉ≦ＭＬｉ）に基づいて、更新された候補アンテナポート（即ち、（Ｎ−Ｎ１）個のアンテナポート）から第２のユーザ端末のための第２のグループのアンテナポート（即ち、Ｎ２個のアンテナポート）を選択してもよい。
【００５１】
そして、基地局は、第２のユーザ端末及び第２のグループのアンテナポートに基づいて、更新と選択の動作を再び実行することにより、第３のユーザ端末のために第３のグループのアンテナポートを選択してもよい。同様に、複数のユーザ端末のうちのユーザ端末ごとに対応する一つのグループのアンテナポートを選択するまで、上記動作を繰り返す。
【００５２】
当該例示において、基地局がターゲットユーザ端末のために選択した一つのグループのアンテナポートには、特定の数のアンテナポートを含んでもよいし、当該特定の数は、特定のセットにおける要素に基づいて特定される。例えば、基地局は、ターゲットユーザ端末の伝送レイヤ数情報及び一つ又は複数のユーザ端末の合計伝送レイヤ数情報に基づいて、第１の数値を特定し、特定のセットに基づいて特定の数を特定してもよい。ただし、当該特定の数は、第１の数値以下である。
【００５３】
例えば、基地局は、候補アンテナポートの数（即ち、Ｎ）、ターゲットユーザ端末の伝送レイヤ数情報（即ち、Ｌ１）及び複数のユーザ端末の合計伝送レイヤ数情報（即ち、Σ１≦ｉ≦ＭＬｉ）に基づいて、第１の数値を特定してもよい。例えば、基地局は、候補アンテナポートの数（即ち、Ｎ）及びターゲットユーザ端末の伝送レイヤ数情報（即ち、Ｌ１）と複数のユーザ端末の合計伝送レイヤ数情報（即ち、Σ１≦ｉ≦ＭＬｉ）との比率に基づいて、第１の数値を特定することができる。基地局は、特定のセットから第１の数値以下の一つ又は複数の要素を選択してもよいし、当該一つ又は複数の要素から最も大きい要素を選択し、最も大きい要素に基づいて、特定の数を特定してもよい。例えば、基地局は、以下の式（３）に基づいて、第１の数値及び特定の数を特定することができる。
【数６】
2019186923.tif 000008
ただし、Ｎｉは特定の数であり、Ｎｉ’は第１の数値であり、Ｓは特定のセットであり、Ｎは候補アンテナポートの数であり、Ｌｉはターゲットユーザ端末の伝送レイヤ数情報であり、Σ１≦ｉ≦ＭＬｉは複数のユーザ端末の合計伝送レイヤ数情報である。
【００５４】
また、図４に示す方法４００と上述した式（３）を参照すると、ターゲットユーザ端末が第１のユーザ端末である場合、式（３）における候補アンテナポートの数はＮであり、複数のユーザ端末の合計伝送レイヤ数情報はΣ１≦ｉ≦ＭＬｉであり、ターゲットユーザ端末が第２、第３、…第Ｍのユーザ端末である場合、式（３）における候補アンテナポートの数は、前回の選択の後に残る候補アンテナポートの数であり、複数のユーザ端末の合計伝送レイヤ数情報は、前回の選択の後に残る、アンテナポートの割り当てを待機しているユーザ端末の合計伝送レイヤ数であることも理解できる。
【００５５】
ここで、候補アンテナポートの数Ｎ＝８、特定のセットＳが｛１，２，４，８，１２，１６，２４，３２｝であり、複数のユーザ端末の合計数量Ｍ＝３、第１、第２、第３のユーザ端末の伝送レイヤ数がそれぞれ２、２、４である場合を例として、第２の実現方式の第１の例示を説明する。第１のユーザ端末について、式（３）によれば以下のことが分かる。
【数７】
2019186923.tif 000009
よって、基地局は、第１のユーザ端末のために二つのアンテナポートを含む第１のグループのアンテナポートを選択した。
【００５６】
そして、基地局は、更新された候補アンテナポート（即ち、６つのアンテナポート）を取得するように、第１のグループのアンテナポートに基づいて、候補アンテナポートを更新し、更新された複数のユーザ端末の合計伝送情報（即ち、Σ２≦ｉ≦ＭＬｉ）を取得するように、第１のユーザ端末に基づいて、複数のユーザ端末の合計伝送レイヤ数情報を更新する。第２のユーザ端末について、式（３）によれば以下のことが分かる。
【数８】
2019186923.tif 000010
よって、基地局は、第２のユーザ端末のために二つのアンテナポートを含む第２のグループのアンテナポートを選択した。
【００５７】
そして、基地局は、更新された候補アンテナポート（即ち、４つのアンテナポート）を取得するように、第２のグループのアンテナポートに基づいて、候補アンテナポートを更新し、更新された複数のユーザ端末の合計数量情報（即ち、Σ３≦ｉ≦ＭＬｉ）を取得するように、第２のユーザ端末に基づいて、複数のユーザ端末の合計数量情報を更新する。第３のユーザ端末について、式（３）によれば以下のことが分かる。
【数９】
2019186923.tif 000011
よって、基地局は、第３のユーザ端末のために４つのアンテナポートを含む第１のグループのアンテナポートを選択した。したがって、候補アンテナポートの数Ｎ＝８、特定のセットＳが｛１，２，４，８，１２，１６，２４，３２｝であり、複数のユーザ端末の合計数量Ｍ＝３、第１、第２、第３のユーザ端末の伝送レイヤ数がそれぞれ２、２、４である場合、基地局は、第１、第２、第３のユーザ端末のために、それぞれ２つ、２つ、４つのアンテナポートを含む第１、第２、第３のグループのアンテナポートを選択した。
【００５８】
同様に、候補アンテナポートの数Ｎ＝８、特定のセットＳが｛１，２，４，８，１２，１６，２４，３２｝であり、複数のユーザ端末の合計数量Ｍ＝２、第１、第２のユーザ端末の伝送レイヤ数がそれぞれ１、３である場合、基地局は、第１、第２のユーザ端末のためにそれぞれ２つ、４つのアンテナポートを含む第１、第２のグループのアンテナポートを選択した。
【００５９】
同様に、候補アンテナポートの数Ｎ＝８、特定のセットＳが｛１，２，４，８，１２，１６，２４，３２｝であり、複数のユーザ端末の合計数量Ｍ＝４、第１、第２、第３、第４のユーザ端末の伝送レイヤ数がそれぞれ１、１、４、２である場合、基地局は、第１、第２、第３、第４のユーザ端末のために、それぞれ１つ、１つ、４つ、２つのアンテナポートを含む第１、第２、第３、第４のグループのアンテナポートを選択した。
【００６０】
上述した例示では、一つ又は複数のユーザ端末が複数のユーザ端末（即ち、Ｍ＞１）を含む場合、基地局がどのように複数のユーザ端末のためにそれぞれに対応する一つのグループのアンテナポートを選択するかについて説明した。本開示の他の例示によると、一つ又は複数のユーザ端末がＳＵのうちの単一のユーザ端末（即ち、Ｍ＝１）を含む場合、当該一つのユーザ端末がターゲットユーザ端末である。基地局は、上述した図４に示す方法４００及び上述した式（３）を利用して当該一つのユーザ端末のために一つのグループのアンテナポートを選択してもよい。かかる場合には、基地局は、一つのユーザ端末だけに対して一つのグループのアンテナポートを選択すればよいので、基地局は、候補アンテナポートの更新、ユーザ端末の更新という動作を実行する必要がなくなる。
【００６１】
上述した図４に示す方法４００及び上述した式（３）によると、候補アンテナポートの数Ｎ＝８、特定のセットＳが｛１，２，４，８，１２，１６，２４，３２｝であり、ターゲットユーザ端末の伝送レイヤ数が２である場合、基地局は、当該一つのユーザ端末のために８つのアンテナポートを含む一つのグループのアンテナポートを選択した。
【００６２】
これまで、方法３００のステップＳ３０１を説明した。ステップＳ３０１の後に、ステップＳ３０２において、基地局は、選択した一つのグループのアンテナポートを介してターゲットユーザ端末と通信する。例えば、基地局は、選択した一つのグループのアンテナポートを介してターゲットユーザ端末にトラフィックデータを伝送してもよい。また、例えば、基地局は、選択した一つのグループのアンテナポートを介してターゲットユーザ端末にシステムシグナリングなどのシステム情報を伝送してもよい。
【００６３】
本開示の一つの例示によると、ステップＳ３０２の前に、方法３００は、基地局が選択された一つのグループのアンテナポートをターゲットユーザ端末に通知する工程を含んでもよい。例えば、ユーザ端末が選択されたアンテナポートでデータを伝送できるように、基地局は、無線リソース制御（ＲＲＣ：Radio  Resource  Control）シグナリングなどのシステムシグナリングを介してターゲットユーザ端末に選択された一つのグループのアンテナポートを通知してもよい。
【００６４】
本開示は、これに限定されるものではない。本開示の他の例示によると、基地局は、ターゲットユーザ端末に対して選択された一つのグループのアンテナポートを通知しなくてもよい。例えば、基地局は、下り制御情報（ＤＣI：Downlink  Control  Information）で、復調用参照信号（ＤＭＲＳ：Demodulation  Reference  Signal）のポート（port）情報をターゲットユーザ端末に通知して復調してもよい。かかる場合には、ターゲットユーザ端末は、基地局によって選択されたアンテナポートを特定する必要がなく、基地局によって通知されるポートで受信すればよい。
【００６５】
また、ステップＳ３０１における一つ又は複数のユーザ端末が一つのユーザ端末を含む場合、本開示の一つの例示によると、ステップＳ３０２の後に、方法３００は、基地局が予め格納されたプリコーディングマトリックス及びＣＱＩを利用してデータを伝送する工程を含んでもよい。例えば、基地局は、ユーザ端末に自身のチャネルに対して測定するように指示することができる。ユーザ端末は、チャネルを測定してＣＱＩを生成し、基地局にＣＱＩを報告する。そして、基地局は、予め格納されたプリコーディングマトリックス及びユーザ端末によって報告されたＣＱＩを利用して、ユーザ端末とデータを伝送することができる。
【００６６】
また、ＳＵ−ＭＩＭＯとＭＵ−ＭＩＭＯは、いずれもプリコーディングの方法を利用して並行伝送のデータストリーム間の干渉を低減または制御することにより、ＭＩＭＯ技術のパフォーマンスを改善することができる。したがって、ステップＳ３０１における一つ又は複数のユーザ端末が複数のユーザ端末を含む場合、本開示の一つの例示によると、ステップＳ３０２の後に、方法３００は、基地局が候補アンテナポート及び選択された一つのグループのアンテナポートに基づいて、ターゲットユーザ端末に用いられるプリコーディングマトリックスを生成する工程を含んでもよい。例えば、基地局は、予め格納されたプリコーディングマトリックス、候補アンテナポート及び選択された一つのグループのアンテナポートに基づいて、予め格納されたプリコーディングマトリックスを削減することにより、ターゲットユーザ端末に用いられるプリコーディングマトリックスを生成してもよい。
【００６７】
例えば、複数のユーザ端末のうちのｋ番目のユーザ端末がターゲットユーザ端末であると仮定すると、基地局は、予め格納されたプリコーディングマトリックス、候補アンテナポート及び選択された一つのグループのアンテナポートに基づいて、以下の式（４）−（６）によってターゲットユーザ端末に用いられるプリコーディングマトリックスを生成できる。
【００６８】
式（４）は、プリコーディングマトリックス指標（ＰＭＩ：Precoding  Matrix  Indicator）をフィードバックすることによって、チャネルを再構成して行列Ｈｋを生成する。
【数１０】
2019186923.tif 000012
【００６９】
式（６）は、ターゲットユーザ端末のプリコーディングマトリックスＷＤ，ｋを計算することに用いられる。
【数１１】
2019186923.tif 000013
【００７０】
また、ステップＳ３０１における一つ又は複数のユーザ端末が複数のユーザ端末を含む場合、本開示の他の例示によると、ステップＳ３０２の後に、方法３００は、基地局がターゲットユーザ端末の伝送パラメーターを調整するように、候補アンテナポート及び選択された一つのグループのアンテナポートに基づいて、ターゲットユーザ端末の信号パラメーターを特定する工程を含んでもよい。信号パラメーターは、例えばターゲットユーザ端末のＳＩＮＲなどであり、伝送パラメーターは、例えばターゲットユーザ端末の送信電力などである。例えば、基地局は、ターゲットユーザ端末の送信電力を調整するように、ＣＱＩ、予め格納されたプリコーディングマトリックス、候補アンテナポート及び選択された一つのグループのアンテナポートに基づいて、ターゲットユーザ端末のＳＩＮＲを推定してもよい。
【００７１】
例えば、複数のユーザ端末のうちのｋ番目のユーザ端末がターゲットユーザ端末であると仮定すると、基地局は、ＣＱＩ、予め格納されたプリコーディングマトリックス、候補アンテナポート及び選択された一つのグループのアンテナポートに基づいて、上記の式（４）−（６）及び下記の式（７）を利用してターゲットユーザ端末のＳＩＮＲを推定することができる。
【００７２】
式（７）は、ターゲットユーザ端末のＳＩＮＲ（即ち、ＣＱＩ’ｋ）を推定することに用いられる。
【数１２】
2019186923.tif 000014
【００７３】
また、本開示の他の例示によると、ステップＳ３０１及びステップＳ３０２の前、間または後に、方法３００は、基地局が全てのアンテナポートを利用して一つ又は複数のユーザ端末へ参照信号を送信する工程を含んでもよい。例えば、ユーザ端末がＣＳＩ−ＲＳを測定してＣＱＩ、ＰＭＩ、ＲＩなどの情報を生成するように、基地局は、全てのアンテナポートを利用して一つ又は複数のユーザ端末にＣＳＩ−ＲＳを送信してもよい。
【００７４】
図３に示す方法３００によって、基地局は、ターゲットユーザ端末の第１のパラメーター情報及びアンテナポートの割り当てを待機している全てのユーザ端末の第１のパラメーター情報に基づいて、ターゲットユーザ端末のために対応する一つのグループのアンテナポートを動的に割り当てることができる。図５Ａ−図５Ｄは、本開示の実施例に係る基地局が、ユーザ端末に割り当てるアンテナポートの模式図を示している。
【００７５】
例えば、図５Ａに示すように、基地局は、ＳＵに対して８つのアンテナポートを割り当て、アンテナポートに対応するＴｘＲＵは、ＴｘＲＵ  １１１−１１８である。それは、基地局がＴｘＲＵ  １１１−１１８によってユーザ端末に異なるデータを送信するからである。以下の例示も同様である。
【００７６】
また、例えば、図５Ｂに示すように、ＭＵが二つのユーザ端末を含む場合、基地局は、ＭＵのうちのユーザ端末ごとにそれぞれ４つのアンテナポートを割り当て、ＭＵのうちの１番目のユーザ端末のアンテナポートに対応するＴｘＲＵはＴｘＲＵ  １１１−１１４であり、ＭＵのうちの２番目のユーザ端末のアンテナポートに対応するＴｘＲＵはＴｘＲＵ  １１５−１１８である。
【００７７】
また、例えば、図５Ｃに示すように、ＭＵが三つのユーザ端末を含む場合、基地局は、ＭＵのうちのユーザ端末ごとにそれぞれ２つ、２つ、４つのアンテナポートを割り当て、ＭＵのうちの１番目のユーザ端末のアンテナポートに対応するＴｘＲＵはＴｘＲＵ  １１２−１１４であり、ＭＵのうちの２番目のユーザ端末のアンテナポートに対応するＴｘＲＵはＴｘＲＵ  １１５−１１６であり、ＭＵのうちの３番目のユーザ端末のアンテナポートに対応するＴｘＲＵはＴｘＲＵ  １１７−１１８である。
【００７８】
また、例えば、図５Ｄに示すように、ＭＵが四つのユーザ端末を含む場合、基地局は、ＭＵのうちのユーザ端末ごとにそれぞれ２つのアンテナポートを割り当て、ＭＵのうちの１番目のユーザ端末のアンテナポートに対応するＴｘＲＵはＴｘＲＵ  １１１−１１２であり、ＭＵのうちの２番目のユーザ端末のアンテナポートに対応するＴｘＲＵはＴｘＲＵ  １１３−１１４であり、ＭＵのうちの３番目のユーザ端末のアンテナポートに対応するＴｘＲＵはＴｘＲＵ  １１５−１１６であり、ＭＵのうちの４番目のユーザ端末のアンテナポートに対応するＴｘＲＵはＴｘＲＵ  １１７−１１８である。つまり、基地局と通信するユーザ端末が比較的少ない場合、基地局は、ユーザ端末に割り当てられるアンテナポートの数を固定せず、比較的多くのアンテナポートをユーザ端末に割り当ててもよい。
【００７９】
したがって、本開示の実施例によれば、基地局は、ターゲットユーザ端末の第１のパラメーター情報及びアンテナポートの割り当てを待機している全てのユーザ端末の第１のパラメーター情報に基づいて、ターゲットユーザ端末のために対応する一つのグループのアンテナポートを動的に割り当てることができ、割り当てられるアンテナポートを介してユーザ端末と複数のデータストリームを並列に伝送することにより、並列伝送の効率及びプリコーディングの利得を上げ、データ伝送のスループットを向上させることができる。
【００８０】
上記実施例では、基地局がターゲットユーザ端末の第１のパラメーター情報及びアンテナポートの割り当てを、待機している全てのユーザ端末の第１のパラメーター情報に基づいて、ターゲットユーザ端末のために対応する一つのグループのアンテナポートを動的に割り当てることについて説明した。本開示の他の実施例によると、基地局は、ターゲットユーザ端末の第２のパラメーター情報及びアンテナポートの割り当てを、待機している全てのユーザ端末の第２のパラメーター情報に基づいて、ターゲットユーザ端末のために対応する一つのグループのアンテナポートを動的に割り当てることもできる。
【００８１】
以下には、図６を参照して、本開示の他の実施例に係る、基地局によって実行されるアンテナポートを割り当てる方法のフローチャートを説明する。図６は、本開示の他の実施例に係る、基地局によって実行されるアンテナポートを割り当てる方法６００のフローチャートである。方法６００は、上記図３を参照して説明した方法３００の詳細と同じであるため、便宜上、説明を省略する。
【００８２】
図６に示すように、ステップＳ６０１において、基地局は、複数のユーザ端末の第２のパラメーター情報に基づいて、候補アンテナポートから第１のグループのアンテナポートと第２のグループのアンテナポートを選択し、第１のグループのアンテナポートは、複数のユーザ端末のうちの第１のユーザ端末に使用され、第２のグループのアンテナポートは、複数のユーザ端末のうちの第２のユーザ端末に使用され、第１のユーザ端末のチャネルの品質が第２のユーザ端末のチャネルの品質より優れている場合に、第１のグループのアンテナポートにおけるアンテナポートの数は、第２のグループのアンテナポートにおけるアンテナポートの数より少ない。
【００８３】
本開示の一つの例示によると、第２のパラメーター情報は、チャネル条件情報であってもよい。チャネル条件情報は、例えば、チャネル品質情報（ＣＱＩ：Channel  Quality  Information）、参照信号受信電力（ＲＳＲＰ：Reference  Signal  Receiving  Power）、データスループットなどを含んでもよい。
【００８４】
例えば、基地局は、第１のユーザ端末と第２のユーザ端末のチャネル条件情報に基づいて、それぞれ第１のユーザ端末と第２のユーザ端末にアンテナポートを割り当てることができる。第１のユーザ端末のチャネル品質が第２のユーザ端末のチャネル品質より優れている場合、基地局が第１のユーザ端末に割り当てる第１のグループのアンテナポートに含まれるアンテナポートの数は、基地局が第２のユーザ端末に割り当てる第２のグループのアンテナポートに含まれるアンテナポートの数より少なくてもよい。また、第１のユーザ端末のチャネル品質が第２のユーザ端末のチャネル品質より悪い場合、基地局が第１のユーザ端末に割り当てる第１のグループのアンテナポートに含まれるアンテナポートの数は、基地局が第２のユーザ端末に割り当てる第２のグループのアンテナポートに含まれるアンテナポートの数より多くてもよい。
【００８５】
そして、ステップＳ６０２において、基地局は、選択した第１のグループのアンテナポートと第２のグループのアンテナポートを介して、それぞれ第１のユーザ端末及び第２のユーザ端末と通信する。例えば、基地局は、選択した第１のグループのアンテナポートと第２のグループのアンテナポートを介して、第１のユーザ端末及び第２のユーザ端末それぞれにトラフィックデータを伝送してもよい。また、例えば、基地局は、選択した第１のグループのアンテナポートと第２のグループのアンテナポートを介して、第１のユーザ端末と第２のユーザ端末にそれぞれシステムシグナリングなどのシステム情報を伝送してもよい。
【００８６】
本開示の一つの例示によると、ステップＳ６０２の前に、方法６００は、基地局が第１のユーザ端末と第２のユーザ端末に対して選択された第１のグループのアンテナポートと、第２のグループのアンテナポートを通知する工程を含んでもよい。例えば、第１のユーザ端末と第２のユーザ端末が選択されたアンテナポートでデータを伝送できるように、基地局は、ＲＲＣシグナリングなどのシステムシグナリングを介して第１のユーザ端末と第２のユーザ端末に選択された第１のグループのアンテナポートと、第２のグループのアンテナポートを通知してもよい。
【００８７】
本開示は、これに限定されるものではない。本開示の他の例示によると、基地局は、第１のユーザ端末又は第２のユーザ端末に対して選択された一つのグループのアンテナポートを通知しなくてもよい。例えば、基地局は、下り制御情報（ＤＣI：Downlink  Control  Information）で復調用参照信号（ＤＭＲＳ：Demodulation  Reference  Signal）のポート（port）情報を第１のユーザ端末又は第２のユーザ端末に通知して復調してもよい。かかる場合、第１のユーザ端末又は第２のユーザ端末は、基地局によって選択されたアンテナポートを特定する必要がなく、基地局によって通知されるポートで受信すればよい。
【００８８】
図６に示す方法６００は、基地局が既存の技術によってユーザ端末に割り当てたアンテナポートを調整することに用いられると認識すべきだろう。しかし、本開示は、これに限定されるものではない。図６に示す方法６００は、上記図３に示す方法３００と組み合わせて使用されてもよい。例えば、基地局が図３に示す方法３００を利用してユーザ端末にアンテナポートを割り当てた後に、基地局は、図６に示す方法６００を利用して割り当てられたアンテナポートを調整することにより、ユーザ端末に、より好適な数のアンテナポートを割り当てることができる。図６に示す方法６００は、既存の技術及び本開示の図３に示す方法３００以外の、アンテナポートを割り当てる他の方法と組み合わせて使用されてもよい。
【００８９】
本開示の上述実施例によると、基地局は、データ伝送及びプリコーディングを行うように、複数のユーザ端末のパラメーター情報に基づいて、ユーザ端末のために対応する一つのグループのアンテナポートを動的に割り当てることにより、空間ダイバーシチ及びプリコーディングの利得を改善し、データ伝送のスループットを向上させることができる。
【００９０】
以下には、図７を参照して、本開示の実施例に係る図３に示す方法３００を実行する基地局を説明する。図７は、本開示の実施例に係る基地局７００のブロック図を示す。基地局７００の機能は、上記図３を参照して説明した方法３００の詳細と同じであるため、便宜上、説明を省略する。
【００９１】
図７に示すように、基地局７００は、一つ又は複数のユーザ端末のうちのターゲットユーザ端末の第１のパラメーター情報及び一つ又は複数のユーザ端末の第１のパラメーター情報に基づいて、候補アンテナポートから一つのグループのアンテナポートを選択するように構成される選択部７１０と、選択した一つのグループのアンテナポートを介して、ターゲットユーザ端末と通信するように構成される伝送部７２０を含む。基地局７００は、上記二つの部品以外の他の部品を含んでもよいが、これらの部品は本開示と関係ないので、ここでは説明を省略する。
【００９２】
本開示の一つの例示によると、第１のパラメーター情報は、数量情報であってもよい。第１のパラメーター情報が数量情報である場合には、ターゲットユーザ端末の第１のパラメーター情報は、ターゲットユーザ端末の数量情報を含んでもよく、一つ又は複数のユーザ端末の第１のパラメーター情報は、一つ又は複数のユーザ端末の合計数量情報を含んでもよい。
【００９３】
あるいは、第１のパラメーター情報は、例えば伝送レイヤ数（the  number  of  transmission  layers）情報などのデータ伝送パラメーター情報であってもよい。第１のパラメーター情報が伝送レイヤ数情報である場合に、ターゲットユーザ端末の第１のパラメーター情報は、ターゲットユーザ端末の伝送レイヤ数情報を含んでもよいし、一つ又は複数のユーザ端末の第１のパラメーター情報は、一つ又は複数のユーザ端末の合計伝送レイヤ数情報を含んでもよい。
【００９４】
本開示の一つの例示によると、選択部７１０は、複数のユーザ端末のうちの第１のユーザ端末の第１のパラメーター情報及び複数のユーザ端末の第１のパラメーター情報に基づいて、候補アンテナポートから第１のユーザ端末のための第１のグループのアンテナポートを選択することができる。
【００９５】
当該例示において、選択部７１０は、更新された候補アンテナポートを取得するように、第１のグループのアンテナポートに基づいて、候補アンテナポートを更新し、更新された複数のユーザ端末の第１のパラメーター情報を取得するように、第１のユーザ端末に基づいて、複数のユーザ端末の第１のパラメーター情報を更新してもよい。例えば、選択部７１０は、更新された候補アンテナポートを取得するように、第１のグループのアンテナポートを候補アンテナポートから削除してもよい。また、例えば、基地局は、更新された複数のユーザ端末の第１のパラメーター情報を取得するように、第１のユーザ端末を複数のユーザ端末から削除してもよい。
【００９６】
当該例示において、選択部７１０は、複数のユーザ端末のうちの第２のユーザ端末の第１のパラメーター情報及び更新された複数のユーザ端末の第１のパラメーター情報に基づいて、更新された候補アンテナポートから第２のユーザ端末のための第２のグループのアンテナポートを選択してもよい。例えば、選択部７１０は、第２のユーザ端末の第１のパラメーター情報及び更新された複数のユーザ端末の第１のパラメーター情報に基づいて、更新された候補アンテナポートから第２のユーザ端末のための第２のグループのアンテナポートを選択してもよい。
【００９７】
そして、選択部７１０は、第２のユーザ端末及び第２のグループのアンテナポートに基づいて、更新と選択の動作を再び実行することにより、第３のユーザ端末のために第３のグループのアンテナポートを選択してもよい。同様に、複数のユーザ端末のうちのユーザ端末ごとに対応する一つのグループのアンテナポートを選択するまで上記動作を繰り返す。
【００９８】
以下には、第１のパラメーター情報が数量情報である場合を例として選択部７１０を説明する。選択部７１０は、第１のユーザ端末の数量情報（即ち、１）及び複数のユーザ端末の合計数量情報（即ち、Ｍ）に基づいて、候補アンテナポート（Ｎ個のアンテナポート）から第１のユーザ端末のための第１のグループのアンテナポート（即ち、Ｎ１個のアンテナポート）を選択してもよい。
【００９９】
そして、選択部７１０は、更新された候補アンテナポートを取得するように、第１のグループのアンテナポートに基づいて、候補アンテナポートを更新し、更新された複数のユーザ端末の合計数量情報を取得するように、第１のユーザ端末に基づいて、複数のユーザ端末の合計数量情報を更新する。例えば、選択部７１０は、更新された候補アンテナポート（即ち、（Ｎ−Ｎ１）個のアンテナポート）を取得するように、第１のグループのアンテナポートを候補アンテナポートから削除してもよい。また、選択部７１０は、更新された複数のユーザ端末の合計数量情報（即ち、（Ｍ−１））を取得するように、第１のユーザ端末を複数のユーザ端末から削除してもよい。
【０１００】
そして、選択部７１０は、複数のユーザ端末のうちの第２のユーザ端末の数量情報及び更新された複数のユーザ端末の合計数量情報に基づいて、更新された候補アンテナポートから第２のユーザ端末のための第２のグループのアンテナポートを選択してもよい。例えば、選択部７１０は、第２のユーザ端末の数量情報（即ち、１）及び更新された複数のユーザ端末の合計数量情報（即ち、（Ｍ−１））に基づいて、更新された候補アンテナポート（即ち、（Ｎ−Ｎ１）個のアンテナポート）から第２のユーザ端末のための第２のグループのアンテナポート（即ち、Ｎ２個のアンテナポート）を選択してもよい。
【０１０１】
そして、選択部７１０は、第２のユーザ端末及び第２のグループのアンテナポートに基づいて、更新と選択の動作を再び実行することにより、第３のユーザ端末に対して第３のグループのアンテナポートを選択してもよい。同様に、複数のユーザ端末のうちのユーザ端末ごとに対応する一つのグループのアンテナポートを選択するまで上記動作を繰り返す。
【０１０２】
当該例示において、選択部７１０がターゲットユーザ端末のために選択された一つのグループのアンテナポートには、特定の数のアンテナポートを含んでもよいし、当該特定の数は、特定のセットにおける要素に基づいて特定される。例えば、選択部７１０は、ターゲットユーザ端末の数量情報及び一つ又は複数のユーザ端末の合計数量情報に基づいて、第１の数値を特定し、特定のセットに基づいて、特定の数を特定してもよい。当該特定の数は、第１の数値以下である。
【０１０３】
例えば、選択部７１０は、候補アンテナポートの数（即ち、Ｎ）、ターゲットユーザ端末の数量情報（即ち、１）及び一つ又は複数のユーザ端末の合計数量情報（即ち、Ｍ）に基づいて、第１の数値を特定する。例えば、選択部７１０は、候補アンテナポートの数（即ち、Ｎ）及びターゲットユーザ端末の数量（即ち、１）と複数のユーザ端末の合計数量（即ち、Ｍ）との比率に基づいて、第１の数値を特定してもよい。選択部７１０は、特定のセットから第１の数値以下である一つ又は複数の要素を選択してもよいし、基地局は当該一つ又は複数の要素から最も大きい要素を選択し、最も大きい要素に基づいて、特定の数を特定してもよい。例えば、選択部７１０は、上記式（１）又は（２）に基づいて、第１の数値及び特定の数を特定することができる。
【０１０４】
次に、第１のパラメーター情報が伝送レイヤ数情報である場合を例として選択部７１０を説明する。選択部７１０は、第１のユーザ端末の伝送レイヤ数情報（即ち、Ｌ１）及び複数のユーザ端末の合計伝送レイヤ数情報（即ち、Σ１≦ｉ≦ＭＬｉ）に基づいて、候補アンテナポート（即ち、Ｎ個のアンテナポート）から第１のユーザ端末のための第１のグループのアンテナポート（即ち、Ｎ１個のアンテナポート）を選択してもよい。
【０１０５】
そして、選択部７１０は、更新された候補アンテナポートを取得するように、第１のグループのアンテナポートに基づいて、候補アンテナポートを更新し、更新された複数のユーザ端末の合計伝送レイヤ数情報を取得するように、第１のユーザ端末に基づいて、複数のユーザ端末の合計伝送レイヤ数情報を更新する。例えば、選択部７１０は、更新された候補アンテナポート（即ち、（Ｎ−Ｎ１）個のアンテナポート）を取得するように、第１のグループのアンテナポートを候補アンテナポートから削除してもよい。また、選択部７１０は、更新された複数のユーザ端末の合計伝送レイヤ数情報（即ち、Σ２≦ｉ≦ＭＬｉ）を取得するように、第１のユーザ端末を複数のユーザ端末から削除してもよい。
【０１０６】
そして、選択部７１０は、複数のユーザ端末のうちの第２のユーザ端末の伝送レイヤ数情報及び更新された複数のユーザ端末の合計伝送レイヤ数情報に基づいて、更新された候補アンテナポートから第２のユーザ端末のための第２のグループのアンテナポートを選択してもよい。例えば、選択部７１０は、第２のユーザ端末の伝送レイヤ数情報（即ち、Ｌ２）及び更新された複数のユーザ端末の合計伝送レイヤ数情報（即ち、Σ２≦ｉ≦ＭＬｉ）に基づいて、更新された候補アンテナポート（即ち、（Ｎ−Ｎ１）個のアンテナポート）から第２のユーザ端末のための第２のグループのアンテナポート（即ち、Ｎ２個のアンテナポート）を選択してもよい。
【０１０７】
そして、選択部７１０は、第２のユーザ端末及び第２のグループのアンテナポートに基づいて、更新と選択の動作を再び実行することにより、第３のユーザ端末のために第３のグループのアンテナポートを選択してもよい。同様に、複数のユーザ端末のうちのユーザ端末ごとに対応する一つのグループのアンテナポートを選択するまで、上記動作を繰り返す。
【０１０８】
当該例示において、選択部７１０によりターゲットユーザ端末に対して選択した一つのグループのアンテナポートには、特定の数のアンテナポートを含んでもよいし、当該特定の数は、特定のセットにおける要素に基づいて特定される。例えば、選択部７１０は、ターゲットユーザ端末の伝送レイヤ数情報及び一つ又は複数のユーザ端末の合計伝送レイヤ数情報に基づいて、第１の数値を特定し、基地局は、特定のセットに基づいて、特定の数を特定してもよい。当該特定の数は、第１の数値以下である。
【０１０９】
例えば、選択部７１０は、候補アンテナポートの数（即ち、Ｎ）、ターゲットユーザ端末の伝送レイヤ数情報（即ち、Ｌ１）及び複数のユーザ端末の合計伝送レイヤ数情報（即ち、Σ１≦ｉ≦ＭＬｉ）に基づいて、第１の数値を特定する。例えば、選択部７１０は、候補アンテナポートの数（即ち、Ｎ）及びターゲットユーザ端末の伝送レイヤ数情報（即ち、Ｌ１）と複数のユーザ端末の合計伝送レイヤ数情報（即ち、Σ１≦ｉ≦ＭＬｉ）との比率に基づいて、第１の数値を特定してもよい。選択部７１０は、特定のセットから第１の数値以下の一つ又は複数の要素を選択してもよいし、基地局は、当該一つ又は複数の要素から最も大きい要素を選択し、最も大きい要素に基づいて、特定の数を特定してもよい。例えば、選択部７１０は、上記式（３）に基づいて、第１の数値及び特定の数を特定できる。
【０１１０】
本開示の一つの例示によると、伝送部７２０は、ユーザ端末が選択されたアンテナポートでデータを伝送できるように、無線リソース制御（ＲＲＣ：Radio  Resource  Control）シグナリングなどのシステムシグナリングを介してターゲットユーザ端末へ選択された一つのグループのアンテナポートを通知してもよい。
【０１１１】
本開示は、これに限定されるものではない。本開示の他の例示によると、伝送部７２０は、ターゲットユーザ端末へ選択された一つのグループのアンテナポートを通知しなくてもよい。例えば、伝送部７２０は、下り制御情報（ＤＣI：Downlink  Control  Information）で復調用参照信号（ＤＭＲＳ：Demodulation  Reference  Signal）のポート（port）情報をターゲットユーザ端末に通知して復調してもよい。かかる場合には、ターゲットユーザ端末は、基地局によって選択されたアンテナポートを特定する必要がなく、基地局によって通知されたポートで受信すればよい。
【０１１２】
本開示の一つの例示によると、基地局７００は、候補アンテナポート及び選択された一つのグループのアンテナポートに基づいて、ターゲットユーザ端末に用いられるプリコーディングマトリックスを生成するように構成される生成部７３０を、さらに有してもよい。例えば、生成部は、予め格納されたプリコーディングマトリックス、候補アンテナポート及び選択された一つのグループのアンテナポートに基づいて、予め格納されたプリコーディングマトリックスを削減することで、ターゲットユーザ端末に用いられるプリコーディングマトリックスを生成してもよい。
【０１１３】
本開示の一つの例示によると、基地局７００は、ターゲットユーザ端末の伝送パラメーターを調整するように、候補アンテナポート及び選択された一つのグループのアンテナポートに基づいて、ターゲットユーザ端末の信号パラメーターを特定するように構成される特定部７４０を、さらに有してもよい。信号パラメーターは、例えばターゲットユーザ端末の信号対干渉雑音比（ＳＩＮＲ：Signal  to  Interference  plus  Noise  Ratio）などであり、伝送パラメーターは、例えばターゲットユーザ端末の送信電力などである。
【０１１４】
本開示の上述実施例によれば、基地局は、データ伝送及びプリコーディングを行うように、ターゲットユーザ端末のパラメーター情報及びアンテナポートの割り当てを待機している全てのユーザ端末のパラメーター情報に基づいて、ターゲットユーザ端末に対応する一つのグループのアンテナポートを動的に割り当てることができる。これにより、空間ダイバーシチ及びプリコーディングの利得を改善し、データ伝送のスループットを向上させた。
【０１１５】
以下には、図８を参照して、本開示の他の実施例に係る、図６に示す方法６００を実行する基地局を説明する。図８は、本開示の他の実施例に係る基地局８００のブロック図を示す。基地局８００の機能は、上記図６を参照して説明した方法６００の詳細と同じであるため、便宜上、説明を省略する。
【０１１６】
図８に示すように、基地局８００は、複数のユーザ端末の第２のパラメーター情報に基づいて、候補アンテナポートから複数のユーザ端末のうちの第１のユーザ端末に使用される第１のグループのアンテナポートと複数のユーザ端末のうちの第２のユーザ端末に使用される第２のグループのアンテナポートを選択するように構成される選択部８１０と、選択した第１のグループのアンテナポートと第２のグループのアンテナポートを介して、第１のユーザ端末と第２のユーザ端末とそれぞれ通信するように構成される伝送部８２０とを有する。ここで、第１のユーザ端末のチャネル品質が第２のユーザ端末のチャネル品質より優れている場合、第１のグループのアンテナポートにおけるアンテナポートの数は第２のグループのアンテナポートにおけるアンテナポートの数より少ない。基地局８００は、上記二つの部品以外の他の部品を含んでもよいが、これらの部品は本開示と関係ないので、ここでは説明を省略する。
【０１１７】
本開示の一つの例示によると、第２のパラメーター情報は、チャネル条件情報であってもよい。チャネル条件情報は、例えば、チャネル品質情報（ＣＱＩ：Channel  Quality  Information）、参照信号受信電力（ＲＳＲＰ：Reference  Signal  Receiving  Power）、データスループットなどを含んでもよい。
【０１１８】
例えば、選択部８１０は、第１のユーザ端末と第２のユーザ端末のチャネル条件情報に基づいて、第１のユーザ端末と第２のユーザ端末にそれぞれアンテナポートを割り当てることができる。第１のユーザ端末のチャネル品質が第２のユーザ端末のチャネル品質より優れている場合に、選択部８１０が第１のユーザ端末に割り当てる第１のグループのアンテナポートに含まれるアンテナポートの数は、基地局が第２のユーザ端末に割り当てる第２のグループのアンテナポートに含まれるアンテナポートの数より少なくてもよい。また、第１のユーザ端末のチャネル品質が第２のユーザ端末のチャネル品質より悪い場合には、選択部８１０が第１のユーザ端末に割り当てる第１のグループのアンテナポートに含まれるアンテナポートの数は、基地局が第２のユーザ端末に割り当てる第２のグループのアンテナポートに含まれるアンテナポートの数より多くてもよい。
【０１１９】
本開示の上述実施例によれば、基地局は、データ伝送及びプリコーディングを行うように、複数のユーザ端末のパラメーター情報に基づいて、ユーザ端末に対応する一つのグループのアンテナポートを動的に割り当てることにより、空間ダイバーシチ及びプリコーディングの利得を改善し、データ伝送のスループットを向上させた。
【０１２０】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線で）接続し、これら複数の装置により実現されてもよい。
【０１２１】
例えば、本発明の一実施形態における無線基地局、ユーザ端末などは、本発明の無線通信方法の処理を行うコンピュータとして機能してもよい。図９は、本発明の一実施形態に係る無線基地局及びユーザ端末のハードウェア構成の一例を示す図である。上述の無線基地局７００及び８００は、物理的には、プロセッサ９１０、メモリ９２０、ストレージ９３０、通信装置９４０、バス９５０などを含むコンピュータ装置として構成されてもよい。
【０１２２】
なお、以下の説明では、「装置」という文言は、回路、デバイス、ユニットなどに読み替えることができる。無線基地局７００及び８００のハードウェア構成は、図に示した各装置を１つ又は複数含むように構成されてもよいし、一部の装置を含まずに構成されてもよい。
【０１２３】
例えば、プロセッサ９１０は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ９１０は、１以上のチップで実装されてもよい。
【０１２４】
無線基地局７００及び８００における各機能は、例えば、プロセッサ９１０、メモリ９２０などのハードウェア上に所定のソフトウェア（プログラム）を読み込ませることで、プロセッサ９１０が演算を行い、通信装置９４０による通信や、メモリ９２０及びストレージ９３０におけるデータの読み出し及び／又は書き込みを制御することで実現される。
【０１２５】
プロセッサ９１０は、例えば、オペレーティングシステムを動作させてコンピュータ全体を制御する。プロセッサ９１０は、周辺装置とのインターフェース、制御装置、演算装置、レジスタなどを含む中央処理装置（ＣＰＵ：Central  Processing  Unit）で構成されてもよい。例えば、上述のアクセス部、メンテナンス部などは、プロセッサ９１０で実現されてもよい。
【０１２６】
また、プロセッサ９１０は、プログラム（プログラムコード）、ソフトウェアモジュール、データなどを、ストレージ９３０及び／又は通信装置９４０からメモリ９２０に読み出し、これらに従って各種の処理を実行する。プログラムとしては、上述の実施形態で説明した動作の少なくとも一部をコンピュータに実行させるプログラムが用いられる。例えば、ユーザ端末８００のアクセス部は、メモリ９２０に格納され、プロセッサ９１０で動作する制御プログラムによって実現されてもよく、他の機能ブロックについても同様に実現されてもよい。
【０１２７】
メモリ９２０は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ９２０は、レジスタ、キャッシュ、メインメモリ（主記憶装置）などと呼ばれてもよい。メモリ９２０は、本発明の一実施形態に係る無線通信方法を実施するために実行可能なプログラム（プログラムコード）、ソフトウェアモジュールなどを保存できる。
【０１２８】
ストレージ９３０は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ９３０は、補助記憶装置と呼ばれてもよい。
【０１２９】
通信装置９４０は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置９４０は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送信部、受信部などは、通信装置９４０で実現されてもよい。
【０１３０】
また、プロセッサ９１０やメモリ９２０などの各装置は、情報を通信するためのバス９５０で接続される。バス９５０は、単一のバスで構成されてもよいし、装置間で異なるバスで構成されてもよい。
【０１３１】
また、無線基地局７００及び８００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ９１０は、これらのハードウェアの少なくとも１つで実装されてもよい。
【０１３２】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１３３】
また、本明細書で説明した情報、パラメーターなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメーターを使用する数式などは、本明細書で明示的に開示したものと異なってもよい。
【０１３４】
本明細書においてパラメーターなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割当てている様々な名称は、いかなる点においても限定的なものではない。
【０１３５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３６】
また、情報、信号などは、上位レイヤから下位レイヤ、及び／又は下位レイヤから上位レイヤへ出力され得る。情報、信号などは、複数のネットワークノードを介して入出力されてもよい。
【０１３７】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０１３８】
情報の通知は、本明細書で説明した態様／実施形態に限られず、他の方法で行われてもよい。例えば、情報の通知は、物理レイヤシグナリング（例えば、下りリンク制御情報（ＤＣＩ：Downlink  Control  Information）、上りリンク制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１３９】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））で通知されてもよい。
【０１４０】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１４１】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１４２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１４３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１４４】
本明細書で使用する「システム」及び「ネットワーク」という用語は、互換的に使用される。
【０１４５】
本明細書では、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１４６】
基地局は、１つ又は複数（例えば、３つ）のセル（セクタとも呼ばれる）を収容することができる。基地局が複数のセルを収容する場合、基地局のカバレッジエリア全体は、複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１４７】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１４８】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局７００と８００が有する機能をユーザ端末が有する構成としてもよい。また、「上り」や「下り」などの文言は、「サイド」と読み替えられてもよい。例えば、上りチャネルは、サイドチャネルと読み替えられてもよい。
【０１４９】
同様に、本明細書におけるユーザ端末は、無線基地局で読み替えてもよい。この場合、上述のユーザ端末が有する機能を無線基地局７００と８００が有する構成としてもよい。
【０１５０】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１５１】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１５２】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ４０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１５３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１５４】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０１５５】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１５６】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどを使用することにより、互いに「接続」又は「結合」されると考えることができる。
【０１５７】
本明細書又は特許請求の範囲で「含む（including）」、「含んでいる（comprising）」、及びそれらの変形が使用されている場合、これらの用語は、用語「備える」と同様に、包括的であることが意図される。さらに、本明細書あるいは特許請求の範囲において使用されている用語「又は（or）」は、排他的論理和ではないことが意図される。
【０１５８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2019186923.tif 000015
【図２Ａ】
2019186923.tif 000016
【図２Ｂ】
2019186923.tif 000017
【図２Ｃ】
2019186923.tif 000018
【図２Ｄ】
2019186923.tif 000019
【図３】
2019186923.tif 000020
【図４】
2019186923.tif 000021
【図５Ａ】
2019186923.tif 000022
【図５Ｂ】
2019186923.tif 000023
【図５Ｃ】
2019186923.tif 000024
【図５Ｄ】
2019186923.tif 000025
【図６】
2019186923.tif 000026
【図７】
2019186923.tif 000027
【図８】
2019186923.tif 000028
【図９】
2019186923.tif 000029